(57)【要約】【課題】荷卸しを行う該当注液口の液種キー等のタンク情報記憶部材を液種センサ等のタンク情報読取手段にセットしてタンク情報を読み取るタンク情報読取装置において、タンク情報記憶部材のセット間違いによるタンク情報の誤読を防止できるようにすること。【解決手段】接続具によって注液口１側に取り付けられたタンク情報記憶部材４を、注液用ホース２側に取り付けられたタンク情報読取手段５にセットすることによってタンク情報を読み取るタンク情報読取装置であって、前記接続具が、伸縮性及び可撓性のない材料で形成されるとともに２次元方向にのみ運動可能な運動範囲規制部材１１を備え、さらに、運動範囲規制部材１１の一端を注液口１側に装着して、この運動範囲規制部材１１が隣接する別のタンク情報読取手段に向けて運動しないようにした。【選択図】図１
2006327657.tif 000002
【特許請求の範囲】
【請求項１】
接続具によって注液口側に取り付けられたタンク情報記憶部材を、注液用ホース側に取り付けられたタンク情報読取手段にセットすることによってタンク情報を読み取るタンク情報読取装置であって、
前記接続具が、２次元方向にのみ運動可能な運動範囲規制部材を備え、さらに、運動範囲規制部材の基端側を注液口側に装着して、この運動範囲規制部材が隣接する別のタンク情報読取手段に向けて運動しないようにしたタンク情報読取装置。
【請求項２】
運動範囲規制部材が、複数のリンク部材をピンによって連結して形成したチェーン状部材であり、各リンク部材をピン周りに回動可動とするとともに各ピンの方向を揃えることによって、２次元方向にのみ運動可能としたものである請求項１に記載のタンク情報読取装置。
【請求項３】
運動範囲規制部材の基端部が注液口に対して上下方向にスライド可能に装着されており、運動範囲規制部材の基端部に抜け防止のためのストッパが設けられている請求項１又は２に記載のタンク情報読取装置。
【請求項４】
運動範囲規制部材の基端部に重錘が設けられている請求項３に記載のタンク情報読取装置。
【請求項５】
運動範囲規制部材の基端部が注液口近傍の部材に装着されている請求項１又は２に記載のタンク情報読取装置。
【請求項６】
運動範囲規制部材がローラチェーンである請求項１〜５のいずれかに記載のタンク情報読取装置。
【請求項７】
運動範囲規制部材が絶縁性材料で形成されている請求項１〜６のいずれかに記載のタンク情報読取装置。
【請求項８】
運動範囲規制部材が絶縁性部材で覆われている請求項１〜６のいずれかに記載のタンク情報読取装置。
【発明の詳細な説明】
【技術分野】
【０００１】
本発明は、給液所における液体燃料類の荷卸し等に際して、注液する該当タンクの液種、タンクＮｏ、タンク容量、現場名等のタンク情報を読み取るタンク情報読取装置に関する。
【背景技術】
【０００２】
液体燃料類の荷卸し等に際して、荷卸し管理あるいは安全確保上、注液する該当タンクのタンク情報を把握する必要があり、従来、その方法として、注液口側に取り付けられたタンク情報記憶部材を注液用ホース側に取り付けられたタンク情報読取手段にセットすることによってタンク情報を読み取る方法が知られている。例えば、特許文献１には、タンク情報記憶部材として液種キー、タンク情報読取手段として液種センサを用いて該当タンクの液種情報を読み取り、液体燃料類の混液を防止する混液防止装置が開示されている。
【０００３】
図７は特許文献１の混液防止装置の概略構成を示す。この混液防止装置を使用した液体燃料類の荷卸しは以下の手順で行われる。
【０００４】
１．地下タンク側にある注液口１の注液口錠を注液口錠解除キーで開錠し、注液口キャップを開ける。
【０００５】
２．注液用ホース２をローリー車側の液吐出口３に接続した後に注液口１に接続する。
【０００６】
３．注液口１側に設けている該当注液口の液種キー４を注液用ホース２に設けている液種センサ５に差し込む。
【０００７】
４．液種センサ５より液種データが発信され、その液種データが液種センサ受信器６で受信され、インターフェースボックス７を介して制御ユニット８に伝達される。
【０００８】
５．制御ユニット８にはローリー車の各ハッチに荷積みされた液種が登録されており、スイッチを押して荷卸しを行うハッチ選択する。
【０００９】
６．液種センサ５から送られてきた液種データと制御ユニット８で選択された液種が合致していれば、制御ユニット８は、荷卸しＯＫの表示を行うとともにローリー車の該当ハッチの制御バルブ９を開にする。液種が合致していなければ、制御バルブ９は開かず、制御ユニット８は荷卸し不可の警告を行う。
【００１０】
７．ローリー車の吐出バルブ１０を開いて荷卸しを開始する。
【００１１】
このように、図７に示す混液防止装置では、該当注液口１の液種キー４に基づく液種データと制御ユニット８で選択された液種が合致していなければ荷卸しを行うことができないことから、混液防止に有効な手段である。
【００１２】
しかし、このような従来の混液防止装置では、液種キーを注液口（注液口金具）にチェーンで固定しており、その注液口の形状や設置高さがまちまちであり取付位置が一定していないため、液種キーを注液用ホースに取り付けた液種センサに確実に差し込めるようチェーンの長さに余裕を持たせている。一方、給液所には複数のタンクが埋設されており、それに対応した注液口が一列に並んで設けられているため、２本のタンクに同時に荷卸しを行おうとして、２本の該当の注液口にそれぞれ注液用ホースを接続し、液種キーをそれぞれの液種センサに差し込もうとした場合、特に接続した注液口が隣同士であった場合、ローリー運転手が誤って隣の注液口の液種キーを差し込んでしまい、混液事故を発生させてしまうおそれがある。
【００１３】
このように、従来技術においては、液種キー等のタンク情報記憶部材と液種センサ等のタンク情報読取手段とのセット間違いによってタンク情報の誤読が生じ、混液事故等を発生させてしまうおそれがあるという問題があった。
【００１４】
一方、本願出願人は、特願２００３−４０２２０２において、液種センサからの液種データの伝送経路におけるコネクタ同士の接続間違いを防止するために、一方向のみの運動が可能なチェーン部材を使用することを提案した。このチェーン部材自体は上述の液種キーのセット間違いを防止のために使用することも可能であるが、チェーン部材が金属製の場合には、注液口等との接触により火花が発生するおそれがあり、引火、爆発等の危険性もある。
【特許文献１】特許第３１８０６３０号公報
【発明の開示】
【発明が解決しようとする課題】
【００１５】
本発明が解決しようとする課題は、荷卸しを行う該当注液口の液種キー等のタンク情報記憶部材を液種センサ等のタンク情報読取手段にセットしてタンク情報を読み取るタンク情報読取装置において、タンク情報記憶部材のセット間違いによるタンク情報の誤読を防止できるようにすることにある。
【００１６】
他の課題は、配管やコンクリート等との衝撃等により、火花が発生し、引火、爆発等が起こらないようにすることにある。
【課題を解決するための手段】
【００１７】
本発明のタンク情報読取装置は、接続具によって注液口側に取り付けられたタンク情報記憶部材を、注液用ホース側に取り付けられたタンク情報読取手段にセットすることによってタンク情報を読み取るタンク情報読取装置であって、前記接続具が、伸縮性及び可撓性のない材料で形成されるとともに２次元方向にのみ運動可能な運動範囲規制部材を備え、さらに、運動範囲規制部材の基端側を注液口側に装着して、この運動範囲規制部材が隣接する別のタンク情報読取手段に向けて運動しないようにしたものである。
【００１８】
タンク情報記憶部材には、液種、タンクＮｏ、タンク容量、現場名等のタンク情報を記憶することができ、これをタンク情報読取手段にセットすることで、タンク情報を読み取り、混液防止等の制御に利用する。
【００１９】
２次元方向にのみ運動可能な運動範囲規制部材としては、プレートを折り畳み可能に蛇腹状に連結したものや、複数のリンク部材を折り畳み不可に連結したチェーン状部材等が挙げられる。ただし、プレートを単に蛇腹状に連結したものでは、連結部分に滑らかな回転を求めることが非常に難しく、ある程度、力を入れて曲げなければならない等、操作性に劣り、逆に使用を重ねるうちに連結部分のガタが大きくなり、頻繁にメンテナンスを行わなければならない等、耐久性にも劣っている。また、プレート形状の場合、材質が金属であっても横方向への曲がりに非常に弱く、２次元方向のみの運動規制を求めるのは強度的に不安であり確実性も劣っている。したがって、本発明における運動範囲規制部材としては、チェーン状部材が好ましい。
【００２０】
具体的には、運動範囲規制部材は、円筒状、角筒状等のリンク部材をピンによって連結して折り畳み不可に形成したチェーン状部材とすることが好ましく、このようなチェーン部材は、各リンク部材をピン周りに回動可動とするとともに各ピンの方向を揃えることによって、２次元方向、すなわち一つの面内でのみ運動可能とすることができる。具体例としては、ローラチェーンやケーブルホースガイドのようなものが挙げられる。
【００２１】
運動範囲規制部材を構成する伸縮性及び可撓性のない材料としては、金属、硬質プラスチック、セラミックス等が挙げられる。そして、運動範囲規制部材は、注液口等との接触により火花が発生することがないように、絶縁性材料で形成するか、又は金属製であったとしても注液口等との接触により火花が発生することがないように、絶縁性部材で覆うことが好ましい。
【００２２】
運動範囲規制部材の基端側は、注液口又はその近傍の壁、床等の部材に装着される。注液口に直接装着する場合は、運動範囲規制部材の基端部を注液口に対して上下方向にスライド可能に装着し、その基端部に抜け防止のためのストッパを設けることが好ましい。これによって、注液口と注液用ホース側のタンク情報読取手段との距離が変わったとしても容易に対応可能となる。また、注液を行わない場合は、運動範囲規制部材を下側にスライドさせて注液口側に収納することができるので、収納性が向上し邪魔になることもない。
【００２３】
さらに、運動範囲規制部材の基端部に重錘を設けることで、タンク情報記憶部材をタンク情報読取手段から外すと、重錘の自重により、運動範囲規制部材を自動的又は極めて容易に下側にスライドさせて注液口側に収納することができるようになる。
【００２４】
一方、運動範囲規制部材の基端部を注液口近傍の他の部材に装着するようにすると、注液口の形状等に影響を受けないので、その装着が容易となり利便性が向上する。
【発明の効果】
【００２５】
本発明によれば、タンク情報記憶部材を注液口側に取り付ける接続具の主要部である運動範囲規制部材が隣接する別のタンク情報読取手段に向けて運動しないようにしているので、誤って隣の注液口のタンク情報記憶部材をタンク情報読取手段に差し込んでしまうことが防止され、タンク情報記憶部材のセット間違いによるタンク情報の誤読が防止される。したがって、本発明を例えば混液防止装置に適用すれば、混液事故が皆無となり安全である。
【００２６】
また、運動範囲規制部材を絶縁性材料で形成するか又は絶縁性部材で覆うことにより、配管やコンクリート等との衝撃等により火花が発生することがないので、引火、爆発等の危険性が回避され非常に安全である。
【発明を実施するための最良の形態】
【００２７】
以下、図面に示す実施例に基づき本発明の実施の形態を説明する。
【００２８】
以下に示す実施例は、タンク情報記憶部材として液種情報を記憶した液種キーを用い、タンク情報読取手段として液種センサを用い、混液防止装置に適用したものである。
【実施例１】
【００２９】
図１は、本発明の第１実施例に係る混液防止装置の要部を示し、（ａ）は注液用ホースを注液口に接続する前の状態、（ｂ）は注液用ホースを注液口に接続し液種キーを液種センサにセットした状態を示す。
【００３０】
同図において、注液口１側の注液口配管１ａには、運動範囲規制部材１１の基端部が接続されている。具体的には、注液口配管１ａに固定バンド１２によって支持部材１３を固定し、この支持部材１３に運動範囲規制部材１１の基端部をピン１５により軸支している。運動範囲規制部材１１の先端部には、金属製の短チェーン１４を介して液種キー４が連結されている。この運動範囲規制部材１１と短チェーン１４が本発明にいう接続具であり、運動範囲規制部材１１がその主要部である。短チェーン１４は、液種キー４を液種センサ５に差し込む際に操作しやすくするためのもので、そのための必要最小限の長さとしている。また、短チェーン１４を使用せずに運動範囲規制部材１１のみで接続すると、荷卸し中の注液用ホースの揺れや荷卸し終了後の注液用ホースを揺らしてのホース内の液切りの際に、その振動が液種キー４に直接伝わり液種センサ５から抜けてしまうことがあるため、実施例のように接続具の一部、好ましくは先端側に３次元方向に自由に運動可能な短尺のチェーン等の部材を設けることが好ましい。
【００３１】
荷卸しの際には、図１（ｂ）に示すように、注液用ホース２を注液口１に接続し、その後、液種キー４を液種センサ５に差し込みセットする。これによって、該当する注液口１の液種データが読み取られ、読み取られた液種データは、先に背景技術の欄で説明したように制御ユニットに伝達され、混液防止の制御に供される。
【００３２】
本実施例において、運動範囲規制部材１１は、硬質プラスチック製で角筒状の複数のリンク部材１１ａをピン１１ｂによって折り畳み不可に連結して形成されたチェーン状部材であり、各リンク部材１１ａをピン１１ｂ周りに回動可動とするとともに各ピン１１ｂの方向は図１において紙面に垂直な方向に揃えられている。また、上述のとおり、運動範囲規制部材１１の基端部も紙面に垂直な方向のピン１５によって軸支されている。このような構成とすることで、運動範囲規制部材１１は、２次元方向、すなわち図１における紙面内でのみ運動可能となり、隣接する別の注液口に向けて運動することはできない。
【００３３】
したがって、隣接する注液口で同時に荷卸しが行われていたとしても、該当する注液口の液種キーを隣接する別の注液口側の液種センサにセットすることはできず、液種キーの差し込み間違いによる混液事故の発生を防止することができる。
【００３４】
また、本実施例では、運動範囲規制部材１１を硬質プラスチック（絶縁性材料）で形成しているので、注液口配管１ａやコンクリート等との接触により火花が発生することがないので、引火、爆発等の危険性も回避される。
【実施例２】
【００３５】
図２は、本発明の第２実施例に係る混液防止装置の要部を示す。この実施例では、運動範囲規制部材１１として金属製のローラチェーンを用い、その基端部を先の実施例と同様に注液口１側（注液口配管１ａ）に軸支している。この実施例においても、運動範囲規制部材１１は、図２における紙面内でのみ運動可能であり、隣接する別の注液口に向けて運動することはできない。したがって、先の実施例と同様に、液種キーの差し込み間違いによる混液事故の発生を防止することができる。
【００３６】
また、本実施例では、運動範囲規制部材１１を絶縁性の樹脂ホース１６で覆っており、注液口配管１ａやコンクリート等との接触により火花が発生することがないので、引火、爆発等の危険性も回避される。
【実施例３】
【００３７】
図３は、本発明の第３実施例に係る混液防止装置の要部を示す。この実施例は、運動範囲規制部材１１として、第１実施例と同様の硬質プラスチック製のものを用い、運動範囲規制部材１１の基端部を、注液口１側の注液口配管１ａに固定バンド１２によって固定した保持部材１７に上下方向にスライド可能に装着したものである。また、運動範囲規制部材１１の基端部には、抜け防止のためのストッパ１１ｃと重錘１１ｄを設けている。
【００３８】
この実施例においても、運動範囲規制部材１１は、図３における紙面内でのみ運動可能であり、隣接する別の注液口に向けて運動することはできない。したがって、先の実施例と同様に、液種キーの差し込み間違いによる混液事故の発生を防止することができる。
【００３９】
さらに、本実施例では、液種キー４を液種センサ５にセットする際には、液種センサ５までの距離に応じて運動範囲規制部材１１をスライドさせることで、極めて容易にセットすることができる。また、液種キー４を液種センサ５から外した後は、重錘１１ｄの自重により、運動範囲規制部材１１を自動的又は極めて容易に下側にスライドさせて注液口１側に収納することができる。
【実施例４】
【００４０】
図４は、本発明の第４実施例に係る混液防止装置の要部を示す。この実施例は、運動範囲規制部材１１として、第１実施例と同様の硬質プラスチック製のものを用い、運動範囲規制部材１１の基端部を、注液口１近傍の防火壁１８に支持部材１９を介して回動可能に軸支したものである。
【００４１】
この実施例においても、運動範囲規制部材１１は、図４における紙面内でのみ運動可能であり、隣接する別の注液口に向けて運動することはできない。したがって、先の実施例と同様に、液種キーの差し込み間違いによる混液事故の発生を防止することができる。
【００４２】
さらに、本実施例では、運動範囲規制部材１１の基端部を防火壁１８に取り付けているので、その取付作業において注液口１の形状等の影響を受けることがなく、取付作業を容易に行うことができる。
【００４３】
なお、運動範囲規制部材１１は防火壁１８以外に、注液口１近傍の床面や他の構築物等に取り付けることができる。
【実施例５】
【００４４】
図５は、本発明の第５実施例に係る混液防止装置の要部を示す。この実施例は、第１実施例の変形例である。第１実施例では、運動範囲規制部材１１の基端部を軸支する支持部材１３を固定バンド１２によって注液口１側の注液口配管１ａに固定したが、本実施例では、支持部材１３を注液口１側の注液口金具１ｂに一体的に設けている。なお、注液口金具１ｂは、注液口配管１ａに着脱可能に装着されている。
【００４５】
この実施例においても、第１実施例と同様の効果を奏することができる。さらに、運動範囲規制部材１１の基端部を軸支する支持部材１３を注液口１（注液口金具１ｂ）に一体的に設けたことで、固定バンド等の取り付けが不要となり、運動範囲規制部材１１の注液口１への装着を容易に行うことができるとともに安価になる。
【実施例６】
【００４６】
図６は、本発明の第６実施例に係る混液防止装置の要部を示す。この実施例は、第３実施例の変形例である。第３実施例では、運動範囲規制部材１１の基端部をスライド可能に保持する保持部材１７を固定バンド１２によって注液口１側の注液口配管１ａに固定したが、本実施例では、保持部材１７を注液口１側の注液口金具１ｂに一体的に設けている。本実施例においても、注液口金具１ｂは、注液口配管１ａに着脱可能に装着されている。
【００４７】
この実施例においても、第３実施例と同様の効果を奏することができる。さらに、運動範囲規制部材１１の基端部を保持する保持部材１７を注液口１（注液口金具１ｂ）に一体的に設けたことで、固定バンド等の取り付けが不要となり、運動範囲規制部材１１の注液口１への装着を容易に行うことができるとともに安価になる。
【産業上の利用可能性】
【００４８】
本発明は、荷卸しを行う該当注液口の液種キーを液種センサに差し込み液種を判別して液体燃料類の混液を防止する形式の混液防止装置のほか、在庫管理システム等にも利用可能である。すなわち、読み取る情報は液種に限らず、他のタンク情報も記憶したタンク情報記憶部材をタンク情報読取手段にセットしてタンク情報を読み取るようにすることもできる。
【図面の簡単な説明】
【００４９】
【図１】本発明の第１実施例に係る混液防止装置の要部を示し、（ａ）は注液用ホースを注液口に接続する前の状態、（ｂ）は注液用ホースを注液口に接続し液種キーを液種センサにセットした状態を示す。
【図２】本発明の第２実施例に係る混液防止装置の要部を示す。
【図３】本発明の第３実施例に係る混液防止装置の要部を示す。
【図４】本発明の第４実施例に係る混液防止装置の要部を示す。
【図５】本発明の第５実施例に係る混液防止装置の要部を示す。
【図６】本発明の第６実施例に係る混液防止装置の要部を示す。
【図７】従来の混液防止装置の概略構成を示す。
【符号の説明】
【００５０】
１  注液口
１ａ  注液口配管
１ｂ  注液口金具
２  注液用ホース
３  液吐出口
４  液種キー
５  液種センサ
６  液種センサ受信器
７  インターフェースボックス
８  制御ユニット
９  制御ユニット
１０  吐出バルブ
１１  運動範囲規制部材
１１ａ  リンク部材
１１ｂ  ピン
１１ｃ  ストッパ
１１ｄ  重錘
１２  固定バンド
１３  支持部材
１４  短チェーン
１５  ピン
１６  樹脂ホース
１７  保持部材
１８  防火壁
１９  支持部材
【図１】
2006327657.tif 000003
【図２】
2006327657.tif 000004
【図３】
2006327657.tif 000005
【図４】
2006327657.tif 000006
【図５】
2006327657.tif 000007
【図６】
2006327657.tif 000008
【図７】
2006327657.tif 000009